(57)【要約】【課題】タイルを貼り付けた壁全体の外観を良くすることが可能なタイル壁面の施工方法を提供する。【解決手段】タイル取付用パネル１を設置しておこなう建物のタイル壁面の施工方法である。  この方法では、地盤面４より１００〜１５０ｃｍ上方のタイル取付用パネル１，・・・を設置する側の下地壁３の面に、地盤面４に対して略平行する基準目線３１を設け、その基準目線３１にタイル取付用パネル１の基準線部１１を合わせて設置する。【選択図】図１
2007291812.tif 000002
【特許請求の範囲】
【請求項１】
タイルを水平方向に並べて係止させる係止部を複数段備えるとともに建物の外壁を形成させる位置に設置されるタイル取付用パネルであって、その表面に前記水平方向に対して略平行する基準線部が設けられていることを特徴とするタイル取付用パネル。
【請求項２】
請求項１に記載のタイル取付用パネルを設置しておこなう建物のタイル壁面の施工方法において、地盤面より１００〜１５０ｃｍ上方の前記タイル取付用パネルを設置する側の下地部の面に前記地盤面に対して略平行する基準目線を設け、その基準目線に前記基準線部を合わせて前記タイル取付用パネルを設置することを特徴とするタイル壁面の施工方法。
【発明の詳細な説明】
【技術分野】
【０００１】
本発明は、複数枚のタイルを貼り付けて建物の外壁を構築する際に使用されるタイル取付用パネルとそれを使用したタイル壁面の施工方法に関するものである。
【背景技術】
【０００２】
従来、建物の外壁にタイルを貼り付ける際に、タイルを水平方向に並べて係止させる凸条部を複数段備えたタイル取付用パネルを建物の下地壁に固定し、その凸条部にタイルを引っ掛けて設置する工法が知られている（特許文献１，２参照）。
【０００３】
このようなタイル取付用パネルを使用する場合は、凸条部に合わせてタイルを貼り付けていけばよいので、パネル上ではタイルをきれいに並べることができる。
【特許文献１】特許第２５４２９８１号公報
【特許文献２】特許第２５４２９８０号公報
【発明の開示】
【発明が解決しようとする課題】
【０００４】
しかしながら、前記したタイル取付用パネルを複数設置して外壁を形成する場合は、パネル同士が精度よく下地壁に取り付けられていないと、各パネル上ではきれいにタイルが並べられていても外壁全体の外観としてきれいに見えないおそれがある。
【０００５】
また、従来は、外壁の最下部に取り付けるタイル取付用パネルの下端で位置合わせをおこない、上方において凸条部の水平方向の並びにずれが生じた場合は、タイルを貼り付ける際に微調整をおこなって修正していたのでタイルの貼り付け作業に熟練を要した。
【０００６】
そこで、本発明は、タイルを貼り付けた壁全体の外観を良くすることが可能なタイル取付用パネル及びタイル壁面の施工方法を提供することを目的としている。
【課題を解決するための手段】
【０００７】
前記目的を達成するために、本発明のタイル取付用パネルは、タイルを水平方向に並べて係止させる係止部を複数段備えるとともに建物の外壁を形成させる位置に設置されるタイル取付用パネルであって、その表面に前記水平方向に対して略平行する基準線部が設けられていることを特徴とする。
【０００８】
また、本発明のタイル壁面の施工方法は、上記のタイル取付用パネルを設置しておこなう建物のタイル壁面の施工方法において、地盤面より１００〜１５０ｃｍ上方の前記タイル取付用パネルを設置する側の下地部の面に前記地盤面に対して略平行する基準目線を設け、その基準目線に前記基準線部を合わせて前記タイル取付用パネルを設置することを特徴とする。
【発明の効果】
【０００９】
このように構成された本発明のタイル取付用パネルは、タイルを並べる水平方向に略平行する基準線部が設けられている。
【００１０】
このため、この基準線部を合わせて各タイル取付用パネルを設置すれば、壁全体の外観が良くなるようにタイルを貼り付けることが容易にできる。
【００１１】
また、タイル取付用パネルを設置する下地部の地盤面より１００〜１５０ｃｍ上方の位置に基準目線を設け、その基準目線に前記基準線部を合わせてタイル取付用パネルを設置すれば、外壁の最も目立つ位置である目線の高さのタイルが最も正確に貼り付けられることになり、外壁全体をきれいな外観であると印象付けることができる。
【発明を実施するための最良の形態】
【００１２】
以下、本発明の最良の実施の形態について図面を参照して説明する。
【００１３】
図１は、本実施の形態のタイル取付用パネル１の現場での取り付け作業状況を示した斜視図である。
【００１４】
まず、構成から説明すると、このタイル取付用パネル１は、タイルを水平方向に並べて係止させる係止部としての凸条部１ａと、複数段の凸条部１ａ，・・・を表面に突出させる板状のボード部１ｂとによって主に構成される。
【００１５】
この複数の凸条部１ａ，・・・とボード部１ｂは、例えば木質セメント系材料などによって一体に成形される。
【００１６】
また、凸条部１ａは、台形の底辺が表面側になる蟻形断面をしたレール状に形成されており、この凸条部１ａにタイル２の溝状の凹部２１を嵌め合わせて係止させる。
【００１７】
このタイル２は、陶磁器質タイル、レンガ、セメント化粧ブロックなどの成形板などいずれの材質のものであってもよい。
【００１８】
このタイル取付用パネル１に貼り付けるタイル２は、接着剤を介してタイル取付用パネル１に固定されるが、タイル２が凸条部１ａに係止されることで構造的にタイル２の落下が防止される。
【００１９】
さらに、この凸条部１ａ，・・・は、互いに略平行になるように延設されるとともに、この凸条部１ａ，・・・と略平行になるようにタイル取付用パネル１の上端面が基準線部１１として成形される。
【００２０】
すなわち、タイル取付用パネル１の基準線部１１を水平方向に合わせて設置すれば、凸条部１ａ，・・・も水平方向に向くことになり、この凸条部１ａ，・・・で位置合わせをしながら貼り付けるタイル２，・・・も水平方向に並べられることになる。
【００２１】
また、本実施の形態のタイル取付用パネル１は、下地部としての下地壁３の表面（外面）に設置される。
【００２２】
この下地壁３は、建物の構造部材としての躯体壁となるもので、鉄筋コンクリートや耐力パネルなどによって形成される。なお、建物の構造が鉄骨骨組み構造や柱と梁によって支持される構造であれば、下地壁３は躯体壁でなくともよい。
【００２３】
そして、この下地壁３の表面には、地盤面４より１００〜１５０ｃｍ上方の位置に、地盤面４に対して略平行になるように基準目線３１を設ける。ここで、地盤面４とは、建物が周囲の地面と接する位置の平均の水平面をいう。
【００２４】
次に、本実施の形態のタイル取付用パネル１を設置しておこなう建物のタイル壁面の施工方法について説明する。
【００２５】
まず、建物の下地壁３を構築し、地盤面４より１００〜１５０ｃｍ上方のいずれかの高さで下地壁３の表面に地盤面４と略平行な基準線部１１を墨出しする。
【００２６】
そして、図１に示すように基準目線３１にタイル取付用パネル１の基準線部１１を合わせ、下地壁３の表面にタイル取付用パネル１を設置する。このタイル取付用パネル１は、コンクリート釘（図示せず）や接着剤を介して下地壁３に固定される。
【００２７】
また、基準目線３１に合わせて設置したタイル取付用パネル１の隣にも、基準目線３１に基準線部１１を合わせて別のタイル取付用パネル１を設置し、この作業を基準目線３１の長さだけ繰り返す。
【００２８】
さらに、基準目線３１に合わせて設置したタイル取付用パネル１の上下方向にも、順次、タイル取付用パネル１，・・・を設置していく。
【００２９】
このようにして外壁全体にタイル取付用パネル１，・・・を設置した後に、タイル２，・・・の凹部２を凸条部１ａ，・・・に係止させながらタイル取付用パネル１，・・・に接着剤によって貼り付けていく。
【００３０】
この際も、基準目線３１の直下凸条部１ａからタイル２の貼り付け作業を開始し、基準目線３１に略平行に水平方向に並べられたタイル２，・・・を基準にして、その上下方向にタイル２，・・・の貼り付け作業を展開していく。
【００３１】
なお、図１ではタイル２を１枚ずつ貼り付ける状況を図示したが、これに限定されるものではなく、複数枚のタイル２，・・・を上下方向及び左右方向に連結させたタイルユニットによって一度に複数のタイル２，・・・をタイル取付用パネル１，・・・に設置してもよい。
【００３２】
このように構成された本実施の形態のタイル取付用パネル１は、タイル２，・・・を並べる水平方向に略平行する基準線部１１が設けられている。
【００３３】
このため、この基準線部１１を下地壁３に水平に引いた基準目線３１に合わせて各タイル取付用パネル１，・・・を設置すれば、壁全体の外観が良くなるように水平にタイル２，・・・を貼り付けることが容易にできる。
【００３４】
特に、タイル取付用パネル１，・・・を設置する下地壁３の地盤面４より１００〜１５０ｃｍ上方の位置に基準目線３１を設け、その基準目線３１に基準線部１１を合わせてタイル取付用パネル１，・・・を設置すれば、外壁の最も目立つ位置である目線の高さのタイル２，・・・が最も正確に貼り付けられることになり、外壁全体の美感を良くすることができる。
【実施例１】
【００３５】
以下、この実施例１では、前記実施の形態で説明したタイル取付用パネル１とは別の形態のタイル取付用パネル５について図２を参照しながら説明する。なお、前記実施の形態で説明した内容と同一乃至均等な部分の説明については同一符号を付して説明する。
【００３６】
このタイル取付用パネル５は、前記実施の形態で説明したタイル取付用パネル１に比べて１枚当たりの面積が広く、係止部としてのレール部５ａが多段かつ２列に形成されている。
【００３７】
このタイル取付用パネル５は、アルミ板などの金属板５ｂの表面に台形状断面のレール部５ａを突出側が広がる向きでネジやピンなどによって下地壁３に固定したもので、全体重量を軽量にできるので大型化が可能になる。
【００３８】
また、タイル取付用パネル５の上縁を基準線部５１とし、この基準線部５１に略平行となるようにレール部５ａ，・・・を取り付ける。
【００３９】
一方、下地壁３の上縁及び下縁と基準目線３２を設ける高さとに、胴縁３ａ，・・・を地盤面４に対して略平行となるように取り付ける。この基準目線３２を設ける高さは、地盤面４より１００〜１５０ｃｍ上方のいずれかの高さを基準高さに決めればよい。
【００４０】
そして、この基準高さに合わせて、中央の胴縁３ａの表面に基準目線３２，・・・を水平に引く。ここでは、タイル取付用パネル５の幅に合わせて間隔を置いて基準目線３２，・・・を引いたが、連続した一本の水平線にしてもよい。
【００４１】
また、タイル取付用パネル５の幅に合わせて基準目線３２に直交する垂線を引いて十字線にすれば、タイル取付用パネル５の上下方向の位置だけでなく左右方向の位置も正確に合わせることができる。
【００４２】
なお、他の構成及び作用効果については、前記実施の形態と略同様であるので説明を省略する。
【実施例２】
【００４３】
以下、この実施例２では、前記実施の形態及び実施例１で説明したタイル取付用パネル１，５とは別の形態のタイル取付用パネル６について図３を参照しながら説明する。なお、前記実施の形態又は実施例１で説明した内容と同一乃至均等な部分の説明については同一符号を付して説明する。
【００４４】
このタイル取付用パネル６は、一枚で建物の１階分の高さの外壁を覆う大型のパネルである。
【００４５】
このタイル取付用パネル６は、アルミ板などの金属板６ｂを所定の間隔で切り起こして係止部としての係止突起部６ａ，・・・が多数、設けられたものである。なお、図３では、上縁と下縁付近にだけ係止突起部６ａ，・・・を図示し、その他は省略したが、係止突起部６ａ，・・・は金属板６ｂの全面に亘って設けられている。
【００４６】
また、この係止突起部６ａ，・・・は、各段が互いに略平行となるように設ける。そして、この金属板６ｂの表面には、下縁より１００〜１５０ｃｍ上方のいずれかの高さでこの係止突起部６ａ，・・・に略平行な基準線部６１を引く。
【００４７】
一方、下地壁３の表面には、タイル取付用パネル６の幅に合わせて縦胴縁３ｂ，・・・を地盤面４に対して略垂直となるように取り付ける。
【００４８】
そして、これらの縦胴縁３ｂ，・・・には、地盤面４より１００〜１５０ｃｍ上方のいずれかの高さを基準高さに決めて基準目線３３，・・・を引く。この際にも実施例１と同様に、タイル取付用パネル６の幅に合わせて基準目線３３に直交する垂線を引いて十字線にすればよい。
【００４９】
このように壁を高さ方向に一枚のタイル取付用パネル６で覆う場合であっても、基準目線３３の高さに相当するタイル取付用パネル６の位置に係止突起部６ａ，・・・に略平行する基準線部６１を設け、基準目線３３と基準線部６１とを合わせるようにすれば、外壁の最も目立つ位置である目線の高さのタイル２，・・・が最も正確に貼り付けられることになり、外壁全体をきれいにタイル２，・・・が貼られた外観であると印象付けることができる。
【００５０】
なお、他の構成及び作用効果については、前記実施の形態又は実施例１と略同様であるので説明を省略する。
【００５１】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００５２】
例えば、前記実施の形態及び実施例では下地壁３を下地部として説明したが、これに限定されるものではなく、柱や間柱を下地部としてタイル取付用パネル１，５，６を設置してもよい。
【図面の簡単な説明】
【００５３】
【図１】本発明の最良の実施の形態のタイル取付用パネルの取り付け作業を説明する斜視図である。
【図２】実施例１のタイル取付用パネルの取り付け作業を説明する正面図である。
【図３】実施例２のタイル取付用パネルを取り付けた状態を説明する正面図である。
【符号の説明】
【００５４】
１            タイル取付用パネル
１ａ          凸条部（係止部）
１１          基準線部
２            タイル
３            下地壁（下地部）
３１          基準目線
４            地盤面
５            タイル取付用パネル
５ａ          レール部（係止部）
５１          基準線部
３２          基準目線
６            タイル取付用パネル
６ａ          係止突起部（係止部）
６１          基準線部
３３          基準目線
【図１】
2007291812.tif 000003
【図２】
2007291812.tif 000004
【図３】
2007291812.tif 000005